(57)【特許請求の範囲】
【請求項１】
ヘッドホン本体を耳介に一定の側圧装着力で装着させるように当該耳介に引っ掛けられるイアークリップを備えたイアークリップタイプヘッドホンであって、イアークリップとヘッドホン本体それぞれに、互いに掛合が可能な掛合部を少なくとも一対設け、イアークリップを耳介に引っ掛けてヘッドホン本体を耳介に装着した状態で両掛合部の掛合により、上記イアークリップによるヘッドホン本体の耳介への装着を補助可能とした、ことを特徴とするイアークリップタイプヘッドホン。
【請求項２】
上記イアークリップは、その基端側が上記ヘッドホン本体に支持されるとともに、遊端側がヘッドホン本体外側面に沿い細長く湾曲して延び、その遊端側に一方の掛合部を設けると共に、この遊端側の掛合部にヘッドホン本体側に備えた掛合部が掛合可能となっている、ことを特徴とする請求項１に記載のイアークリップタイプヘッドホン。
【請求項３】
上記イアークリップの基端側と遊端側の掛合部とを、それらを結ぶ直線がヘッドホン本体の中心あるいはその近傍を通るように配置付けした、ことを特徴とする請求項２に記載のイアークリップタイプヘッドホン。
【請求項４】
上記両掛合部の一方は、掛合入口を備えた開口形の掛合部であり、他方は開口形の掛合部の掛合入口に挿入されその内壁面に掛合するコード形の掛合部である、ことを特徴とする請求項２または３に記載のイアークリップタイプヘッドホン。
【請求項５】
開口形の上記掛合部は、その掛合入口がＵ字形に開口するＵ字形に形成してある、ことを特徴とする請求項４に記載のイアークリップタイプヘッドホン。
【請求項６】
開口形の上記掛合部は、Ｌ形に屈曲されて掛合入口が形成されたＬ字形に形成してある、ことを特徴とする請求項４に記載のイアークリップタイプヘッドホン。
【請求項７】
上記コード形掛合部は外周面にローレット部が形成されている、ことを特徴とする請求項３ないし６のいずれかに記載のイアークリップタイプヘッドホン。
【請求項８】
コード形の上記掛合部は、ヘッドホン本体から延びる接続コードの基部側に装着した外被部材で構成されている、請求項３ないし７のいずれかに記載のイアークリップタイプヘッドホン。
【請求項９】
コード形の上記掛合部は、伸縮自在なカール形状になっている、請求項３ないし８のいずれかに記載のイアークリップタイプヘッドホン。
【請求項１０】
コード形の上記掛合部は、開口形の上記掛合部の掛合入口に向けて回転可能になっている、請求項３ないし８のいずれかに記載のイアークリップタイプヘッドホン。
【請求項１１】
コード形の上記掛合部は、開口形の上記掛合部の掛合入口方向に屈曲された形状になっている、請求項３ないし８のいずれかに記載のイアークリップタイプヘッドホン。
【請求項１２】
イアークリップの掛合部を当該イアークリップ先端に設けた溝で構成する一方、ヘッドホン本体のコード形とした掛合部を、その溝に掛合可能とした、請求項１ないし３のいずれかに記載のイアークリップタイプヘッドホン。
【請求項１３】
イアークリップの掛合部を当該イアークリップ先端に設けた貫通穴ないし凹部で構成する一方、ヘッドホン本体に上記貫通穴ないし凹部に掛合可能な凸部で構成した、請求項１ないし３のいずれかに記載のイアークリップタイプヘッドホン。
【請求項１４】
ヘッドホン本体の掛合部を掛合穴で構成し、イアークリップの掛合部の先端部を上記掛合穴に掛合可能とした、請求項１ないし３のいずれかに記載のイアークリップタイプヘッドホン。
【請求項１５】
イアークリップの掛合部をイアークリップ先端方向に一定間隔ごとに複数の切り込みで構成し、ヘッドホン本体の掛合部として上記複数の切り込みに掛合可能な複数のリブ状部を設けた、請求項１ないし３のいずれかに記載のイアークリップタイプヘッドホン。
【請求項１６】
ヘッドホン本体の掛合部を対向する一対の立設部で構成し、イアークリップの掛合部を上記両立設部間で掛合可能とした、請求項１ないし３のいずれかに記載のイアークリップタイプヘッドホン。
【請求項１７】
ヘッドホン本体を耳介に一定の側圧装着力で装着させるように当該耳介に引っ掛けられるイアークリップを備えたイアークリップタイプヘッドホンであって、
上記イアークリップは、その基端部が上記ヘッドホン本体に支持されるとともに、遊端側がヘッドホン本体外側面に沿い延びていると共にその遊端側延長部に掛合部を備え、
上記ヘッドホン本体は、接続コードの基部に被せ付けられたコードブッシュを上記イアークリップの上記掛合部に掛合可能に延ばされて上記イアークリップの掛合部に掛合する掛合部となし、イアークリップでヘッドホン本体を耳介に装着した状態で上記両掛合部の掛合によりヘッドホン本体の耳介に対する上記イアークリップの装着を補助可能とした、ことを特徴とするイアークリップタイプヘッドホン。
【請求項１８】
上記イアークリップの基端側と遊端側延長部の掛合部とが、それらを結ぶ直線がヘッドホン本体中心あるいはその近くを通るように配置付けした、ことを特徴とする請求項１７に記載のイアークリップタイプヘッドホン。
【請求項１９】
ヘッドホン本体と、このヘッドホン本体を耳介に一定の側圧装着力で装着させるように当該耳介に引っ掛けられるイアークリップと、を備えたイアークリップタイプヘッドホンであって、
上記イアークリップは、その基端側が上記ヘッドホン本体に支持されるとともに、その遊端側がヘッドホン本体外側面に沿って上記基端側とはヘッドホン本体中心に対して略１８０度反対方向の位置にまで延びているとともにその遊端側延長部に掛合入口を備えた開口形掛合部が設けられており、
上記ヘッドホン本体は、接続コードの基部に被せ付けられた弾性変形可能なコードブッシュが上記イアークリップの掛合部に掛合可能な長さに延ばされて上記イアークリップの掛合部に掛合するコード状の掛合部をなしており、
上記イアークリップでヘッドホン本体を耳介に装着した状態で上記両掛合部の掛合によりコード状の上記掛合部を耳介側へ引っ張り込むことで上記ヘッドホン本体を耳介側に付勢することにより、該イアークリップによるヘッドホン本体の耳介に対する上記イアークリップの装着を補助して、低音域中心の音圧確保を可能とした、ことを特徴とするイアークリップタイプヘッドホン。
【発明の詳細な説明】
【技術分野】
【０００１】
本発明は、スピーカを耳介（耳殻とも称する）に接近させて用いるヘッドホンにおいて、特にスピーカを耳介に接近させるため当該耳介に引っ掛けるためのイアークリップを備えたイアークリップタイプヘッドホンに関するものである。
【背景技術】
【０００２】
ポータブルのＣＤ、ＭＤ，ＤＶＤ，カセットテーププレーヤー等の各種携帯型音響機器に用いるヘッドホンには、先端集音部を耳介穴に挿入して聴取するタイプであるインナ−イアータイプヘッドホンや、頭部周囲に装着するヘッドバンドを備えたタイプであるヘッドバンドタイプヘッドホンや、耳介に引っ掛けるイアークリップを備えたタイプであるイアークリップタイプヘッドホン、等がある。
【０００３】
インナ−イアータイプは先端集音部を外耳介道である耳介穴を塞ぎ密閉度が高く遮音性に優れ集音効果が高いが、人の動作や姿勢等の変化で先端集音部が耳介穴から容易に外れ易く、ヘッドホン本体には小型のスピーカを内蔵せざるを得ない。ヘッドバンドタイプはヘッドバンド両端にヘッドホン本体を備え、ヘッドバンド両端間を押し広げて頭部に装着するためヘッドホン本体はヘッドバンド力で耳介穴に装着され人の動作や姿勢等の変化では耳介穴からずれにくく遮音性も極めて高い。ヘッドバンドタイプでは大型のスピーカをヘッドホン本体に内蔵させることができる一方で、高い遮音性のため、周囲の状況が分かりづらくなる。イアークリップタイプの場合、耳介にイアークリップを引っ掛けるタイプであるから、ヘッドバンドほどには強い力でヘッドホン本体を耳介穴に押し付けることはできず、遮音性はヘッドバンドタイプより低いものの、一定の遮音性を確保する一方で周囲から在る程度の音が入り周囲の状況がヘッドバンドタイプよりも分かり易い。また、ヘッドバンドタイプではヘッドバンドが比較的に重量があるため、ウオーキングやジョギング等に際して装着上の不自由さを与える場合が多くあるのに対して、イアークリップタイプでは装着者からは装着イメージが軽いファッション的な感じを与えることができ、また、ウオーキングやジョギング等に限らず、電車等の乗り物内でも比較的軽快に装着できる。そのため、イアークリップタイプは特にヘッドホンの中でも注目されており、その種類も多く提供されている。
【０００４】
このようなイアークリップタイプヘッドホンの従来例を図２５−図２７を参照して説明する。図２５はイアークリップタイプヘッドホン全体の斜視図、図２６はイアークリップタイプヘッドホンの左右のヘッドホン本体のうち、左側のヘッドホン本体の平面図、図２７（ａ）は頭部を平面方向から見て同ヘッドホン本体を耳介に装着する準備状態を示す図、図２７（ｂ）は頭部を平面方向から見て同ヘッドホン本体を耳介に引っ掛けた状態を示す図、図２７（ｃ）は同ヘッドホン本体を耳介に装着した状態を示す図である。
【０００５】
図２５を参照して、イアークリップタイプヘッドホン１は、それぞれ図示略のスピーカユニット内蔵の左右一対のヘッドホン本体２と、各ヘッドホンそれぞれのイアークリップ３と、一方のヘッドホン本体２に取り付けた入力コード４と、入力コード４に取り付けたプラグ５と、両ヘッドホン本体２を相互接続する接続コード６と、を備える。
【０００６】
図２６を参照して両ヘッドホン本体２は左右共同じ構成なので左側のヘッドホン本体２とイアークリップ３との関係を説明すると、ヘッドホン本体２は、その基端側３ａがヘッドホン本体２内部に収納され、ヘッドホン本体２のボス部２ａ内部の図示略のバネにより、ヘッドホン本体２に縦向き支点ｘ周りに内方（ヘッドホン本体２方向）に回動可能に付勢支持されている。そして、イアークリップ３は、耳介に装着されていないときは図２６（ａ）で示すようにバネの付勢力でヘッドホン本体２に対して最接近した原位置にある。また、イアークリップ３は、基端側３ａを中心にバネの付勢力に抗して最大の回動位置まで回動したときは図２６（ｂ）で示すように図示略の係止機構で保持されるようになっている。したがって、イアークリップ３はその係止機構で係止保持されるまではバネによりヘッドホン本体２に接近する方向に付勢されている。
【０００７】
図２７を参照してイアークリップタイプヘッドホン１を耳介に装着するときは図２７（ａ）で示すようにイアークリップ３を回動させ、次いで、図２７（ｂ）で示すようにイアークリップ３を耳介に引っ掛け、その後、図２７（ｃ）で示すようにイアークリップ３とヘッドホン本体２とを相対接近させようとするバネの付勢力でヘッドホン本体２を耳介に押し付けるべく一定の側圧装着力を付与した状態で装着する。
【０００８】
このイアークリップタイプヘッドホン１では図２７（ｃ）の耳介への装着状態では、平面から見てイアークリップ３がヘッドホン本体２に対して回動した状態であることでバネの付勢力が働いて、ヘッドホン本体２は、耳介に一定の側圧装着力で押し付けられ、耳介に対しての密着が確保されて外部からの遮音性を高くされている。
【０００９】
しかしながら、上記構成のイアークリップタイプヘッドホン１では、ヘッドホン本体２は、耳介に引っ掛けられたイアークリップ３の基端側３ａに１点で片持ち支持されているだけであるために、イアークリップ３の遊端側３ｂとヘッドホン本体２とにヘッドホン本体２の振動等が作用すると、ヘッドホン本体２が耳介に密着したり浮いたりしてスピーカからの音が外部に漏れ易くなる。このような外部への音漏れは、スピーカから耳介に与えられる音域のうち低音域の音圧が特に低下する。イアークリップタイプヘッドホン１ではウオーキングやジョギング等の運動を行うような場合、ヘッドホン本体２が浮動して上記不具合は一層顕著になる。
【００１０】
一方、ヘッドホン本体２が振動しても耳介への密着性を確保するため、例えば、イアークリップ３の基端側３ａでのバネの付勢力を大きくすると、イアークリップ３の耳介からの取り外しに大きな力を要し使い勝手が悪くなり、また耳介への装着感も低下する、などの不具合があるから、バネ２ａの付勢力を強くすることも難しい。なお、イアークリップタイプヘッドホン１としては以下の特許文献１、２等を挙げることができる。
【特許文献１】特開２００５−３３３１７９号公報
【特許文献２】特開２００５−０６４９０９号公報
【発明の開示】
【発明が解決しようとする課題】
【００１１】
したがって、本発明により解決すべき課題は、振動等の外力が作用しても、ヘッドホン本体を安定して耳介に密着させて遮音性能を確保できるようなイアークリップタイプ構造を提供することである。
【課題を解決するための手段】
【００１２】
（１）本発明第１によるイアークリップタイプヘッドホンは、ヘッドホン本体を耳介に一定の側圧装着力で装着させるように当該耳介に引っ掛けられるイアークリップを備えたイアークリップタイプヘッドホンであって、イアークリップとヘッドホン本体それぞれに、互いに掛合が可能な掛合部を少なくとも一対設け、イアークリップを耳介に引っ掛けてヘッドホン本体を耳介に装着した状態で両掛合部の掛合により、上記イアークリップによるヘッドホン本体の耳介への装着を補助可能としたことを特徴とするものである。
【００１３】
上記側圧装着力を付与するとは、ヘッドホン本体の耳介装着面を耳介に接触させ、イアークリップを耳介に引っ掛けた状態ではイアークリップによりヘッドホン本体に耳介への側圧装着力を与えられる状態を言い、その側圧装着力を付与する手段は特に限定されない。
【００１４】
上記掛合部の形状や掛合形態は特に限定されない。
【００１５】
上記両掛合部において、ヘッドホン本体側の掛合部は、入力コード、ヘッドホン本体を再生装置や受信機等の各種電子機器からの信号を入力する接続コード、あるいはそれらに被せたブッシュに限定されず、これらとは別途にヘッドホン本体に設けた掛合部も含むものである。そのため、本発明のイアークリップタイプヘッドホンは、コードレスタイプの場合では、ヘッドホン本体に設けた掛合部も含む。
【００１６】
本発明ではイアークリップのみでもヘッドホン本体に耳介に対する側圧装着力を与えるように装着することができると共に、上記両掛合部の掛合によりその装着を補助することができる。この場合の補助の形態は特に限定しないが、例えば、イアークリップとヘッドホン本体とによる耳介に対する側圧装着力を増す方向に補助したり、あるいは、イアークリップの耳介に対する引っ掛け状態が緩まないように補助したり、するなど各種の補助形態を含む。
【００１７】
本発明第１によると、イアークリップを介してヘッドホン本体を耳介に装着した状態において、イアークリップとヘッドホン本体とが両掛合部で掛合されることでヘッドホン本体の耳介に対する装着が補助されるので、振動等の外力がイアークリップタイプヘッドホンに作用しても、ヘッドホン本体を安定して耳介に密着させて遮音性能を確保することができるようになる。
【００１８】
ここで、イアークリップの基端側をヘッドホン本体に回動可能に支持して、イアークリップを、ヘッドホン本体から離した開放位置と、ヘッドホン本体に接近した装着位置とに切換え回動可能に構成した場合、イアークリップを軽く回動操作できるようにして、耳介への引掛け操作を容易に行えるようにしても、両掛合部を掛合させることで、イアークリップに対するヘッドホン本体の姿勢を安定確保することができ、ヘッドホン本体を常に適切な装着圧で耳介に密着させることが可能となる。
【００１９】
本発明第１の好ましい態様は、上記イアークリップは、その基端側が上記ヘッドホン本体に支持されるとともに、遊端側がヘッドホン本体外側面に沿い延びており、その遊端側に一方の掛合部を設けると共に、この遊端側の掛合部にヘッドホン本体側に備えた掛合部が掛合可能となっていることである。
【００２０】
この態様によると、イアークリップに対してヘッドホン本体が、イアークリップ基端側との連結箇所と、イアークリップの遊端側の掛合箇所との、大きく離れた２個所で支持されることになり、イアークリップに対するヘッドホン本体の姿勢を安定確保することができ、ヘッドホン本体を常に適切な側圧で耳介に押し当てることが可能となる。
【００２１】
本発明第１の他の好ましい態様は、上記イアークリップの基端側と遊端側の掛合部とを、それらを結ぶ直線がヘッドホン本体の中心あるいはその近傍を通るように配置付けすることである。
【００２２】
この態様によると、イアークリップからヘッドホン本体に与える側圧装着力をヘッドホン本体の中心近くに作用させることができ、ヘッドホン本体が耳介の一部に偏って押し付けられるようなことがなく、音漏れなく快適なフィット感で装着することができる。
【００２３】
本発明第１のさらに他の好ましい態様は、上記両掛合部の一方は、掛合入口を備えた開口形の掛合部であり、他方は開口形の掛合部の掛合入口に挿入されその内壁面に掛合するコード形の掛合部である。
【００２４】
この態様によると、コード形掛合部を掛合入口に挿抜するだけの簡単な操作で開口形の掛合部に掛け外すことができ、目視できない箇所における手探りでの掛け外し操作を容易に行うことができる。
【００２５】
本発明第１のさらに他の好ましい態様は、開口形の上記掛合部は、その掛合入口がＵ字形に開口するＵ字形に形成してあることである。
【００２６】
この態様によると、手探りで掛合入口の位置を容易に認識することができ、掛合部の掛け外し操作が容易となる。
【００２７】
本発明第１のさらに他の好ましい態様は、開口形の上記掛合部は、Ｌ形に屈曲されて掛合入口が形成されたＬ字形に形成してあることである。
【００２８】
この態様によると、手探りで掛合入口の位置を容易に認識することができ、掛合部の掛け外し操作が容易となる。
【００２９】
本発明第１のさらに他の好ましい態様は、上記コード形掛合部は外周面にローレット部が形成されていることである。
【００３０】
この態様によると、掛合入口の内壁面とローレット部との掛合によってコード形掛合部の抜け出し抵抗が大きいものとなり、ヘッドホン本体を所定位置に確実に保持することができる。コード形掛合部における掛合位置をローレット部の形成範囲内で任意に選択することができ、これによって、ヘッドホン本体に与える側圧装着力を加減することが可能となり、好みの圧着状態でのヘッドホン装着が行える。
【００３１】
本発明第１のさらに他の好ましい態様は、コード形の上記掛合部は、ヘッドホン本体から延びる接続コードの基部側に装着した外被部材で構成されていることである。
【００３２】
この態様によると、接続コードの基部側に装着したコード保護用の外被部材を有効に活用してコード形の掛合部を形成することができ、外観を損なうことなく所期の機能を備えたコード形の掛合部とすることができる。
【００３３】
本発明第１のさらに他の好ましい態様は、コード形の上記掛合部は、伸縮自在なカール形状になっていることである。
【００３４】
この態様によると、コード形の掛合部を任意に変形させて開口形の掛合部に容易に掛け外すことができ、取扱い性に優れたものとなるとともに、コード形の掛合部における掛合位置を任意に選択して、好みの圧着状態でのヘッドホン装着を行うことができる。
【００３５】
本発明第１のさらに他の好ましい態様は、コード形の上記掛合部は、開口形の上記掛合部の掛合入口に向けて回転可能になっていることである。
【００３６】
この態様によると、コード形の掛合部を掛合し易い姿勢にして開口形掛合部の掛合入口に掛合することができ、掛合部同士の掛け外し操作が容易となる。
【００３７】
本発明第１のさらに他の好ましい態様は、コード形の上記掛合部は、開口形の上記掛合部の掛合入口方向に屈曲された形状になっていることである。
【００３８】
この態様によると、コード形の掛合部が予め掛合し易い姿勢となっているので手探りによる掛合部同士の掛け外し操作が容易となる。
【００３９】
本発明第１のさらに他の好ましい態様は、イアークリップの掛合部を当該イアークリップ先端に設けた溝で構成する一方、ヘッドホン本体のコード形とした掛合部を、その溝に掛合可能とした、ことである。
【００４０】
本発明第１のさらに他の好ましい態様は、イアークリップの掛合部を当該イアークリップ先端に設けた貫通穴ないし凹部で構成する一方、ヘッドホン本体に上記貫通穴ないし凹部に掛合可能な凸部で構成した、ことである。
【００４１】
本発明第１のさらに他の好ましい態様は、ヘッドホン本体の掛合部を掛合穴で構成し、イアークリップの掛合部の先端部を上記掛合穴に掛合可能とした、ことである。
【００４２】
本発明第１のさらに他の好ましい態様は、イアークリップの掛合部をイアークリップ先端方向に一定間隔ごとに複数の切り込みで構成し、ヘッドホン本体の掛合部として上記複数の切り込みに掛合可能な複数のリブ状部を設けた、ことである。
【００４３】
本発明第１のさらに他の好ましい態様は、ヘッドホン本体の掛合部を対向する一対の立設部で構成し、イアークリップの掛合部を上記両立設部間で掛合可能とした、ことである。
【００４４】
（２）本発明第２によるイアークリップタイプヘッドホンは、ヘッドホン本体に耳介に対する側圧装着力を付与するごとく耳介に引っ掛けられるイアークリップを備えたイアークリップタイプヘッドホンであって、上記イアークリップは、その基端側が上記ヘッドホン本体に支持されるとともに、遊端側がヘッドホン本体外側面に沿い延びていると共にその遊端側延長部に掛合部を備え、上記ヘッドホン本体は、接続コードの基部に被せ付けられたコードブッシュを上記イアークリップの上記掛合部に掛合可能に延ばされて上記イアークリップの掛合部に掛合する掛合部となし、イアークリップでヘッドホン本体を耳介に装着した状態で上記両掛合部の掛合によりヘッドホン本体の耳介に対する上記イアークリップの装着を補助可能とした、ことを特徴とするものである。
【００４５】
本発明第２によると、ヘッドホン本体を耳介に装着した状態において、耳介に装着されて固定保持されたイアークリップに対してヘッドホン本体が、イアークリップ基端側との連結箇所と両掛合部の掛合箇所との複数個所で安定よく支持されることになり、ヘッドホン本体の耳介に対する側圧装着力が強化された状態が安定維持される。
【００４６】
本発明第２の好ましい態様は、上記イアークリップの基端側と遊端側延長部の掛合部とが、それらを結ぶ直線がヘッドホン本体中心あるいはその近くを通るように配置付けすることである。
【００４７】
この態様によると、イアークリップからヘッドホン本体に与える側圧装着力をヘッドホン本体の中心近くに作用させることができ、ヘッドホン本体が耳介の一部に偏って押し付けられるようなことがなく、音漏れなく快適なフィット感で装着することができる。
【００４８】
（３）本発明第３によるイアークリップタイプヘッドホンは、ヘッドホン本体と、このヘッドホン本体に耳介に対する側圧装着力を付与するごとく耳介に引っ掛けられるイアークリップと、を備えたイアークリップタイプヘッドホンであって、上記イアークリップは、その基端側が上記ヘッドホン本体に支持されるとともに、その遊端側がヘッドホン本体外側面に沿って上記基端側とはヘッドホン本体中心に対して略１８０度反対方向の位置にまで延びているとともにその遊端側延長部に掛合入口を備えた開口形掛合部が設けられており、上記ヘッドホン本体は、接続コードの基部に被せ付けられた弾性変形可能なコードブッシュが上記イアークリップの掛合部に掛合可能な長さに延ばされて上記イアークリップの掛合部に掛合するコード状の掛合部をなしており、上記イアークリップでヘッドホン本体を耳介に装着した状態で上記両掛合部の掛合によりコード状の上記掛合部を耳介側へ引っ張り込むことで上記ヘッドホン本体を耳介側に付勢することにより、該イアークリップによるヘッドホン本体の耳介に対する上記イアークリップの装着を補助して、低音域中心の音圧確保を可能とした、ことを特徴とするものである。
【００４９】
本発明第３によると、ヘッドホン本体を耳介に装着した状態において、耳介に装着されて固定保持されたイアークリップに対してヘッドホン本体が、イアークリップ基端側との連結箇所と両掛合部の掛合箇所との複数個所で安定よく支持されることになり、ヘッドホン本体の耳介に対する側圧装着力が強化された状態を安定維持することで低音域中心の音圧を確保して、良質な音質で音楽等を楽しむことができる。
【発明の効果】
【００５０】
以上のように、本発明によれば、使い勝手や装着感を低下させるようなことなくヘッドホン本体を常に好適な側圧装着力でもって装着して、良好な音質での音楽等を楽しむことができるイアークリップタイプヘッドホンを提供することができる。
【発明を実施するための最良の形態】
【００５１】
以下、添付した図面を参照して、本発明の実施の形態に係るイアークリップタイプヘッドホンを説明する。実施の形態のイアークリップタイプヘッドホンは、接続コード付きであり、再生装置や受信機等から信号が入力されるタイプであるが、これらに限定する趣旨ではない。
【００５２】
図１は実施の形態に係るイアークリップタイプヘッドホンを示す斜視図、図２は同イアークリップタイプヘッドホンの左耳介装着用ヘッドホン本体の外側面図、図３は同左耳介装着用ヘッドホン本体の平面図、図４は同左耳介装着用ヘッドホン本体の内側面図、図５は同左耳介装着用ヘッドホン本体の底面図である。図２ないし図５では右耳介装着用のヘッドホン本体と左耳介装着用のヘッドホン本体とは略同じ構成であるので、説明の都合により、左耳介装着用のヘッドホン本体で説明する。
【００５３】
実施の形態によるイアークリップタイプヘッドホン１は、左右勝手違いに構成された一対のヘッドホン本体２のそれぞれに、イアークリップ３を後向き片持ち状に備えて構成されており、左耳介装着用のヘッドホン本体２から延出され入力コード４の先端にオーディオ機器への接続用のプラグ５が備えられ、右耳介装着用のヘッドホン本体２から導出された接続コード６が左耳介用のヘッドホン本体２の内部で入力コード４に接続されている。
【００５４】
ヘッドホン本体２は略円盤形状の中空構造に構成されており、このヘッドホン本体２の内部に図示略のスピーカユニットが組み込まれ、その内向き側面のスピーカユニット面にスポンジ状のパッド７が備えられている。
【００５５】
上記イアークリップ３は、耳介に上方から引っ掛け可能な湾曲した棒形状に樹脂成形されて、ヘッドホン本体２の外側面に沿って配備され、その基端側３ａがヘッドホン本体２の前端に形成された上下向きのボス部２ａに上方から挿入されて、イアークリップ３全体がボス部２ａの縦向き支点ｘ周りに所定の角度範囲内で回動可能に支持されている。
【００５６】
ヘッドホン本体２のボス部２ａにはイアークリップ３の基端側３ａを縦向き支点ｘ周りに内方に回動付勢する図示略のバネが内蔵されている。イアークリップ３は、基端側３ａを中心に上記バネの付勢力に抗して、図３、図５では、仮想線で示す位置まで回動することができ、この回動位置では図示略の係止機構で保持可能になっている。したがって、イアークリップ３を仮想線で示す位置よりヘッドホン本体２へ内方に回動させると、イアークリップ３は、バネ付勢力でヘッドホン本体２側に回動復帰するようになっている。なお、上記ボス部２ａ内にバネを設けるのではなく、イアークリップ３それ自体に樹脂バネ性を持たせてもよい。また、上記係止機構は必須ではなく、イアークリップ３は常時、ヘッドホン本体２へ向けて回動付勢させてもよい。
【００５７】
イアークリップ３はその遊端側３ｂがヘッドホン本体２の外側面に沿って延長され、当該遊端側３ｂの先端にＵ字形状の掛合部８が設けられていると共に、ヘッドホン本体２側には、イアークリップ３の上記掛合部８に掛合可能なコード状の掛合部９が備えられている。イアークリップ３の掛合部８には、さらにその内壁面に図示を略するが単一ないし複数の凸部を設けてもよい。この例において、イアークリップ３側の掛合部８は、Ｕ字形とされることで掛合入口８ａを備えた開口形に構成されている共に、ヘッドホン本体２側の掛合部９は、コード状とされることで、上記掛合入口８ａに挿入されてその内壁面に掛合可能になっている。図２ないし図５では左耳介装着用のヘッドホン本体２の掛合部９であり、これは入力コード４の基部に被せ付けたコードブッシュで構成されているのに対して、図１で示す右耳介装着用のヘッドホン本体２の掛合部９では、接続コード６の右耳介装置用のヘッドホン本体２側の基部に被せ付けたコードブッシュで構成されている。このコードブッシュはこれら接続コード６や入力コード４の基部を覆う弾性変形可能な外被部材である。
【００５８】
また、イアークリップ３の掛合部８とヘッドホン本体２の掛合部９の掛合面は摩擦係数を高くして掛合力を付与してもよい。これにはイアークリップ３の素材に摩擦係数が高い素材を選択することが好ましい。イアークリップ３は単一素材で構成されているが、その掛合部８をイアークリップ３に外付けした構成も含むことができる。上記Ｕ字形の形状はその掛合入口８ａが狭く奥側で広くなる形状として掛合部８に掛合したヘッドホン本体２側の掛合部９が外れにくくしてもよい。ヘッドホン本体２に対してイアークリップ３を支持するイアークリップ基端ｐと、イアークリップ３の掛合部８における掛合入口８ａの内奥箇所（掛合箇所）ｑとは、両者ｐ，ｑを結ぶ直線Ｌがヘッドホン本体２の中心ｃあるいはその近くを通るように位置付けて配置されている。
【００５９】
本実施の形態に係るイアークリップタイプヘッドホン１は以上のように構成されており、その使用形態を図６ないし図９を参照して次に説明する。図６はイアークリップタイプヘッドホン１の左耳介装着用のヘッドホン本体２の斜視図、図７は頭部Ｈを平面方向から見て同ヘッドホン本体を耳介に装着する準備状態を示す斜視図、図８は同ヘッドホン本体を耳介に装着した状態を示す斜視図である。図９（ａ）（ｂ）（ｃ）はイアークリップ３の掛合部８にヘッドホン本体２の掛合部９を掛合操作する操作過程の説明に用いる斜視図である。
【００６０】
ヘッドホン本体２の装着に際しては、図６で示すように、先ず、イアークリップ３を縦向き支点ｘ周りに内方に回動して、イアークリップ３をヘッドホン本体２から内方に離れた開放位置まで移動させる。このようにしてヘッドホン本体２から離したイアークリップ３を、図７で示すように、耳介Ｅに上方から引っ掛けた後、図８で示すように、ヘッドホン本体２を耳介Ｅに近づけるように上記縦向き支点ｘ周りに回動させ、これによってイアークリップタイプヘッドホン１の装着が基本的には完了する。通常はこの状態でも充分使用することができるが、ウオーキングやジョギングをしながら音楽を聴く場合、あるいは、低音を利かせた音楽を聴く場合、などにおいては、ヘッドホン本体２を一層しっかりと耳介Ｅに押し付けて使用することが望ましく、そのために次のような操作を更に行う。
【００６１】
すなわち、上記のようにイアークリップ３を介してヘッドホン本体２を耳介Ｅに引っ掛け装着した後、図９（ａ）で示すように、ヘッドホン本体２のコード形掛合部９をイアークリップ３に向けて湾曲変形させて、図９（ｂ）で示すようにイアークリップ３の掛合部８の掛合入口８ａに上方から挿入し、掛合入口８ａの内壁面にヘッドホン本体２の掛合部９の適所を掛合させる。図９（ｃ）で示すようにヘッドホン本体２の掛合部９は弾性復元することで掛合入口８ａの内壁面に圧接掛合され、これによってヘッドホン本体２が縦向き支点ｘ周りに外側に回動することが阻止される。
【００６２】
このようにして装着されたヘッドホン本体２は、図１０、図１１で示すように、耳介Ｅに装着されて固定されたイアークリップ３に対して、イアークリップ基端ｐと両掛合部７，８の掛合箇所ｑとの２個所で安定よく支持されることになる。しかも、イアークリップ基端ｐと両掛合部７，８の掛合箇所ｑとがヘッドホン本体２の中心ｃに対して略対角位置に在るので、イアークリップ３からヘッドホン本体２に与える側圧装着力をヘッドホン本体２の中心ｃ近くに作用させることができ、ヘッドホン本体２が耳介Ｅの一部に偏って押し付けられるようなことがなく、音漏れなく快適なフィット感で装着することができる。
【００６３】
他の実施の形態を以下に説明する。
【００６４】
図１２（ａ）に示すように、ヘッドホン本体２の掛合部９の外周面にコード長手方向の適当範囲に亘って多数の溝を長手方向に並列してなるローレット部１１を形成することで、イアークリップ３の掛合部８に挿入したヘッドホン本体２の掛合部９がズレ動き難くすることができる。なお、ローレット部１１としては、溝を利用する他に多数の小突起を並列形成する、等、任意の形態を選択することができる。上記多数の溝は直線状ないし曲線状の溝、あるいはこれらの複合溝でもよい。図１２（ａ）で示すヘッドホン本体２の掛合部９は先端側領域では略等径に延びているが、図１２（ｂ）で示すように、ヘッドホン本体２の掛合部９は先端に向けて漸次小径となる形状としてもよい。こうした場合、ヘッドホン本体２の掛合部９をイアークリップ３の掛合部８に掛合させる場合、ヘッドホン本体２の掛合部９の掛合部位での直径が掛合部８の掛合間口に合うようにヘッドホン本体２の掛合部９を図中矢印方向に引き込むとよい。なお、図１２（ｃ）で示すようにヘッドホン本体２の掛合部９を先端に向けて漸次直径が大径となる形状としてもよい。
【００６５】
図１３（ａ）に示すように、ヘッドホン本体２の掛合部９を、その基端において全方向において回動できるように球支点１２を介してヘッドホン本体２に支持しておくと、イアークリップ３の掛合部８への掛合部９への掛合が容易となる。例えば、図１３（ｂ）で示すようにヘッドホンの掛合部９がイアークリップ３の掛合部８とは反対向きに延びている場合、図１３（ｃ）で示すように図中矢印方向にヘッドホン本体２の掛合部９を球支点１２上で回動させることで、ヘッドホン本体２の掛合部９をイアークリップ３の掛合部８に容易に掛合させることができる。
【００６６】
図１４（ａ）に示すように、ヘッドホン本体２の掛合部９に屈曲しにくい樹脂材が利用される場合は、その掛合部９を、予めイアークリップ３の掛合部８の掛合入口８ａ側に向けて屈曲した形状に形成しておくことで、イアークリップ３の掛合部８への掛合が容易となる。例えば図１４（ｂ）で示すように、ヘッドホン本体２の掛合部９が屈曲形成されている場合、イアークリップ３の掛合部８を図中矢印方向に回動させることでヘッドホン本体２の掛合部９をイアークリップ３の掛合部８に掛合させることができる。
【００６７】
図１５に示すように、ヘッドホン本体２の掛合部９を予め屈曲形成するとともに、その基端においてヘッドホン本体２に対して回動可能に支持しておくと、ヘッドホン本体２の掛合部９をイアークリップ３の掛合部８に掛合させることが一層容易となる。この場合は、図１３と図１４との構造を共に備えたものである。
【００６８】
図１６（ａ）に示すように、ヘッドホン本体２の掛合部９を弾性伸縮自在なカール状に構成すると、その掛合部９の任意の箇所をイアークリップ３の掛合部７へ簡単に掛合することができ、掛合操作が容易なものとなる。また、イアークリップ３の掛合部８に対するヘッドホン本体２の掛合部９の掛合位置を選択することで、側圧装着力を加減調整することもできる。例えば図１６（ｂ）では、ヘッドホン本体２とイアークリップ３との距離が装着者の耳介形状により近い場合ではイアークリップ３の掛合部８に対してヘッドホン本体２の掛合部９はその基端側側で掛合し、図１６（ｃ）では、ヘッドホン本体２とイアークリップ３との距離が装着者の耳介形状により遠い場合ではイアークリップ３の掛合部８に対してヘッドホン本体２の掛合部９はその先端寄り側で掛合することができる。
【００６９】
図１７（ａ）に示すように、イアークリップ３の掛合部８の掛合入口８ａに小突起８ｂを膨出形成した場合、図１７（ｂ）で示すようにこの小突起８ｂを乗越えてヘッドホン本体２の掛合部９が掛合するように構成することで、イアークリップ３の掛合部８からヘッドホン本体２の掛合部９が上方へ抜け出すことを効果的に抑止することができる。
【００７０】
図１８に示すように、イアークリップ３の掛合部８を縦向きの支点ｙ周りに回動可能に構成すると、イアークリップ３の掛合部８を掛合し易い向きにしてヘッドホン本体２の掛合部９を掛合することができる。
【００７１】
図１９に示すように、イアークリップ３の掛合部８をねじり屈曲させた略Ｌ形に形成して、その掛合部８を弾性変形させながらヘッドホン本体２の掛合部９を挿入掛合する形態で実施することもできる。
【００７２】
なお、上記実施の形態では、接続コード６に基部に設ける掛合部９を利用してヘッドホン本体２の掛合部９を形成しているが、ヘッドホン本体２から専用のコード形の掛合部９を延出して実施することもできる。
【００７３】
また、単一のヘッドホン本体２で構成されるモノラルのイアークリップタイプヘッドホンにおいては、入力コード４の基部にヘッドホン本体２の掛合部９を備えて実施することができる。
【００７４】
さらに、上記した実施の形態とは逆に、ヘッドホン本体２に別部材でＵ字形に形成した掛合部９を備えるとともに、イアークリップ３に弾性変形可能なコード形に構成した掛合部８を備えた形態で実施することもできる。
【００７５】
図２０で示すように、イアークリップ３の掛合部８は、さらに、先端に溝８ｃで構成する一方、ヘッドホン本体２の掛合部９をその溝８ｃに矢印で示すように掛合してもよい。
【００７６】
図２１で示すように、イアークリップ３の掛合部８を、さらに、貫通穴ないし凹部８ｄで構成する一方、ヘッドホン本体２の掛合部９をコードブッシュ９ａと、その貫通穴ないし凹部８ｄに矢印で示すように掛合可能な凸部９ｂとで構成し、イアークリップ３の掛合部８である貫通穴ないし凹部８ｄにヘッドホン本体２の掛合部９の凸部９ｂを掛合するようにしてもよい。
【００７７】
図２２（ａ）で示すように、ヘッドホン本体２の掛合部９をコードブッシュ９ａと掛合穴９ｃとで構成し、図２２（ｂ）で示すようにイアークリップ３の掛合部８の先端部８ｄに、そのヘッドホン本体２の掛合部９の掛合穴９ｃを掛合させる構成としてもよい。
【００７８】
図２３で示すように、イアークリップ３の掛合部８として先端方向に一定の間隔ごとに複数の奥広がりの切り込み８ｅを設け、ヘッドホン本体２の掛合部９として一定の間隔ごとに上記切り込み８ｅに掛合するリブ状部９ｃを設け、上記切り込み８ｅに上記リブ状部９ｃを掛合させる構成としてもよい。
【００７９】
図２４（ａ）で示すように、ヘッドホン本体２の掛合部９を対向する立設部９ｄ，９ｄで構成し、この立設部９ｄ，９ｄを矢印で示す方向にイアークリップ３の掛合部８に移動させることで、図２４（ｂ）で示すようにイアークリップ３の掛合部８の先端を両立設部９ｄで掛合させる構成としてもよい。
【００８０】
以上説明したように上記実施の形態では、イアークリップ３とヘッドホン本体２それぞれに、互いに掛合が可能な掛合部８，９を設け、イアークリップ３を耳介Ｅに引っ掛けてヘッドホン本体２を耳介Ｅに装着した状態で両掛合部８，９の掛合により、イアークリップ３によるヘッドホン本体２の耳介Ｅへの装着を補助することができるので、振動等の外力がイアークリップタイプヘッドホン１に作用しても、ヘッドホン本体２を安定して耳介Ｅに密着させて遮音性能を確保することができるようになる。
【図面の簡単な説明】
【００８１】
【図１】図１は本発明の実施の形態に係るイアークリップタイプヘッドホンの全体構成を示す斜視図である。
【図２】図２は図１のイアークリップタイプヘッドホンの左耳介装着用のヘッドホンを示す外側面図である。
【図３】図３は図１のイアークリップタイプヘッドホンの左耳介装着用のヘッドホンを示す平面図である。
【図４】図４は図１のイアークリップタイプヘッドホンの左耳介装着用のヘッドホンを示す内側面図である。
【図５】図５は図１のイアークリップタイプヘッドホンの左耳介装着用のヘッドホンを示す底面図である。
【図６】図６は図１のイアークリップタイプヘッドホンの使用形態を説明するための左耳介装着用のヘッドホン本体の斜視図である。
【図７】図７は図１のイアークリップタイプヘッドホンの使用形態を説明するための頭部を平面方向から見て左耳介装置用のヘッドホン本体を耳介に装着する準備状態を示す斜視図である。
【図８】図８は図１のイアークリップタイプヘッドホンの使用形態を説明するための頭部を平面方向から見て左耳介装着用のヘッドホン本体を耳介に装着した状態を示す斜視図である。
【図９】図９（ａ）（ｂ）（ｃ）は図１のイアークリップタイプヘッドホンの使用形態を説明するためイアークリップの掛合部にヘッドホン本体の掛合部を掛合する操作過程の説明に用いる斜視図である。
【図１０】図１０は図６ないし図９の過程を経て耳介に装着した図１のイアークリップタイプヘッドホンを左前方から見た装着状態の斜視図である。
【図１１】図１１は図１０に対応して左後方から見た装着状態の斜視図である。
【図１２】図１２は本発明の他の実施の形態に係るイアークリップタイプヘッドホンの左耳介装着用のヘッドホン本体の斜視図である。
【図１３】図１３は本発明のさらに他の実施の形態に係るイアークリップタイプヘッドホンの左耳介装着用のヘッドホン本体の外側面図である。
【図１４】図１４は本発明のさらに他の実施の形態に係るイアークリップタイプヘッドホンの左耳介装着用のヘッドホン本体の斜視図である。
【図１５】図１５は本発明のさらに他の実施の形態に係るイアークリップタイプヘッドホンの左耳介装着用のヘッドホン本体の斜視図である。
【図１６】図１６は本発明のさらに他の実施の形態に係るイアークリップタイプヘッドホンの左耳介装着用のヘッドホン本体の外側面図である。
【図１７】図１７は本発明のさらに他の実施の形態に係るイアークリップタイプヘッドホンの左耳介装着用のヘッドホン本体の内側面図である。
【図１８】図１８は本発明のさらに他の実施の形態に係るイアークリップタイプヘッドホンの左耳介装着用のヘッドホン本体の内側面図である。
【図１９】図１９は本発明のさらに他の実施の形態に係るイアークリップタイプヘッドホンの左耳介装着用のヘッドホン本体の内側面図である。
【図２０】図２１は本発明のさらに他の実施の形態に係るヘッドホンの一部斜視図である。
【図２１】図２１は本発明のさらに他の実施の形態に係るヘッドホンの一部斜視図である。
【図２２】図２１は本発明のさらに他の実施の形態に係るヘッドホンの一部斜視図である。
【図２３】図２１は本発明のさらに他の実施の形態に係るヘッドホンの一部斜視図である。
【図２４】図２４は本発明のさらに他の実施の形態に係るヘッドホンの一部斜視図である。
【図２５】図２５は従来のイアークリップタイプヘッドホンの斜視図である。
【図２６】図２６は従来のイアークリップタイプヘッドホンの左側のヘッドホン本体の平面図である。
【図２７】図２７（ａ）は頭部を平面方向から見て従来のイアークリップタイプヘッドホンの左耳介装着用のヘッドホン本体を耳介に装着する準備状態を示す図、図２７（ｂ）は頭部を平面方向から見て同ヘッドホン本体を耳介に引っ掛けた状態を示す図、図２７（ｃ）は同ヘッドホン本体を耳介に装着した状態を示す図である。
【符号の説明】
【００８２】
１  イアークリップタイプヘッドホン
２  ヘッドホン本体
３  イアークリップ
６  接続コード
８  イアークリップの掛合部
８ａ  掛合入口
９  ヘッドホン本体の掛合部
Ｅ  耳介
【図１】
0005077940.tif 000002
【図２】
0005077940.tif 000003
【図３】
0005077940.tif 000004
【図４】
0005077940.tif 000005
【図５】
0005077940.tif 000006
【図６】
0005077940.tif 000007
【図７】
0005077940.tif 000008
【図８】
0005077940.tif 000009
【図９】
0005077940.tif 000010
【図１０】
0005077940.tif 000011
【図１１】
0005077940.tif 000012
【図１２】
0005077940.tif 000013
【図１３】
0005077940.tif 000014
【図１４】
0005077940.tif 000015
【図１５】
0005077940.tif 000016
【図１６】
0005077940.tif 000017
【図１７】
0005077940.tif 000018
【図１８】
0005077940.tif 000019
【図１９】
0005077940.tif 000020
【図２０】
0005077940.tif 000021
【図２１】
0005077940.tif 000022
【図２２】
0005077940.tif 000023
【図２３】
0005077940.tif 000024
【図２４】
0005077940.tif 000025
【図２５】
0005077940.tif 000026
【図２６】
0005077940.tif 000027
【図２７】
0005077940.tif 000028